【手続補正書】
【提出日】平成17年1月27日(2005.1.27)
【手続補正１】
【補正対象書類名】明細書
【補正対象項目名】特許請求の範囲
【補正方法】変更
【補正の内容】
【特許請求の範囲】
【請求項１】
少なくとも作用電極と参照電極とを有し、被験液に対する電気化学応答を測定する電気化学測定装置において、
各電極に各々接触可能に設けられた導電体と、
この導電体を介して、各電極の電気容量成分と抵抗成分とを各々測定する電極測定手段と、
前記電極測定手段により測定した各電極の電気容量成分と抵抗成分とを補正パラメータとし、被験液測定時の電気化学応答の安定値を予測する手段とを有することを特徴とする電気化学測定装置。
【請求項２】
前記電極測定手段は、前記導電体を介して各電極のインダクタンス成分を更に測定することを特徴とする請求項１記載の電気化学測定装置。
【請求項３】
少なくとも作用電極と参照電極とを有し、被験液に対する電気化学応答を測定する電気化学測定装置において、
各電極に各々接触可能に設けられた導電体と、
この導電体を介して、各電極の電気容量成分と抵抗成分とを各々測定する電極測定手段と、
前記電極測定手段により測定した各電極の電気容量成分と抵抗成分とから各電極の劣化度合いを判定する劣化判定手段と、
前記劣化判定手段の判定結果に基づき、前記導電体を介して各電極にクリーニング電流を印加することにより、電極表面を洗浄する洗浄手段とを有することを特徴とする電気化学測定装置。
【請求項４】
前記電極測定手段は、前記導電体を介して各電極に交流電流を印加する交流電流印加手段と、前記交流電流の出力を切り換えることにより、前記クリーニング電流を発生させる交流電流出力切換手段とを更に有することを特徴とする請求項３記載の電気化学測定装置。
【請求項５】
少なくとも作用電極と参照電極とを有し、被験液に対する電気化学応答を測定する電気化学測定装置において、
各電極に各々接触可能に設けられた導電体と、
各電極を被験液に浸漬した使用回数と使用時間との内、少なくとも一方の使用状態をカウントするカウント手段と、
前記使用状態と、予め設定してある、電極を洗浄なしで連続使用した場合に測定精度を保証可能な使用限界値とを比較することにより電極の劣化度合いを判定する劣化判定手段と、
前記劣化判定手段の判定結果に基づき、前記導電体を介して各電極にクリーニング電流を印加することにより、電極表面を洗浄する洗浄手段とを有することを特徴とする電気化学測定装置。
【請求項６】
前記洗浄手段は洗浄回数をカウントするカウント手段と、前記洗浄回数と、予め設定してある、洗浄効果がなくなりセンサ交換が必要となる使用回数である限界洗浄回数とを比較することにより、前記カウントされた使用回数が限界洗浄回数を超えていれば、センサの交換を指示することを特徴とする請求項３乃至５の内いずれか一項に記載の電気化学測定装置。
【請求項７】
作用電極と参照電極とを有し、前記作用電極と参照電極との内少なくとも一方が、１つの電極と２つの不溶性導電体との３つの導電体から成り、前記３つの導電体を、被験液に反応させるための基準液や機能膜等の触媒で覆い、前記触媒と被験液とを接触させる接触部を有し、被験液に対する両電極間の電気化学応答を測定する電気化学測定装置において、
前記触媒を介し、前記２つの不溶性導電体間の抵抗成分を算出する抵抗成分算出手段と、
前記抵抗成分算出手段により算出した抵抗成分と、予め設定してある触媒抵抗成分評価範囲とを比較し、触媒の劣化度合いを判定する触媒劣化判定手段と、
前記触媒劣化判定手段の判定結果に基づき、触媒の劣化度合いを報知する報知手段とを有することを特徴とする電気化学測定装置。
【請求項８】
前記電気化学測定装置は、前記作用電極と参照電極との間に発生する電位差を測定することを特徴とする請求項１乃至７の内いずれか一項に記載の電気化学測定装置。
【請求項９】
前記電気化学測定装置は、作用電極と参照電極に更に対電極を備え、参照電極を基準電位とする電圧を対電極から作用電極に印加し、対電極と作用電極間に発生する電流値を測定することを特徴とする請求項１乃至７の内いずれか一項に記載の電気化学測定装置。
【手続補正２】
【補正対象書類名】明細書
【補正対象項目名】０００７
【補正方法】変更
【補正の内容】
【０００７】
【課題を解決するための手段】
上記課題を解決するために本発明は、少なくとも作用電極と参照電極とを有し、被験液に対する電気化学応答を測定する電気化学測定装置において、各電極に各々接触可能に設けられた導電体と、この導電体を介して、各電極の電気容量成分と抵抗成分とを各々測定する電極測定手段と、前記電極測定手段により測定した各電極の電気容量成分と抵抗成分とを補正パラメータとし、被験液測定時の電気化学応答の安定値を予測する手段とを有する電気化学測定装置を提供する。
【手続補正３】
【補正対象書類名】明細書
【補正対象項目名】０００９
【補正方法】変更
【補正の内容】
【０００９】
また本発明は、少なくとも作用電極と参照電極とを有し、被験液に対する電気化学応答を測定する電気化学測定装置において、各電極に各々接触可能に設けられた導電体と、この導電体を介して、各電極の電気容量成分と抵抗成分とを各々測定する電極測定手段と、前記電極測定手段により測定した各電極の電気容量成分と抵抗成分とから各電極の劣化度合いを判定する劣化判定手段と、前記劣化判定手段の判定結果に基づき、前記導電体を介して各電極にクリーニング電流を印加することにより、電極表面を洗浄する洗浄手段とを有する電気化学測定装置を提供する。
【手続補正４】
【補正対象書類名】明細書
【補正対象項目名】００１０
【補正方法】変更
【補正の内容】
【００１０】
前記電極測定手段は、前記導電体を介して各電極に交流電流を印加する交流電流印加手段と、前記交流電流の出力を切り換えることにより、前記クリーニング電流を発生させる交流電流出力切換手段とを更に有する。
【手続補正５】
【補正対象書類名】明細書
【補正対象項目名】００１１
【補正方法】変更
【補正の内容】
【００１１】
また本発明は、少なくとも作用電極と参照電極とを有し、被験液に対する電気化学応答を測定する電気化学測定装置において、各電極に各々接触可能に設けられた導電体と、各電極を被験液に浸漬した使用回数と使用時間との内、少なくとも一方の使用状態をカウントするカウント手段と、前記使用状態と、予め設定してある、電極を洗浄なしで連続使用した場合に測定精度を保証可能な使用限界値とを比較することにより電極の劣化度合いを判定する劣化判定手段と、前記劣化判定手段の判定結果に基づき、前記導電体を介して各電極にクリーニング電流を印加することにより、電極表面を洗浄する洗浄手段とを有する電気化学測定装置を提供し、また、前記洗浄手段は洗浄回数をカウントするカウント手段と、前記洗浄回数と、予め設定してある、洗浄効果がなくなりセンサ交換が必要となる使用回数である限界洗浄回数とを比較することにより、前記カウントされた使用回数が限界洗浄回数を超えていれば、センサの交換を指示するものである。
【手続補正６】
【補正対象書類名】明細書
【補正対象項目名】００１２
【補正方法】変更
【補正の内容】
【００１２】
また本発明は、作用電極と参照電極とを有し、前記作用電極と参照電極との内少なくとも一方が、１つの電極と２つの不溶性導電体との３つの導電体から成り、前記３つの導電体を、被験液に反応させるための基準液や機能膜等の触媒で覆い、前記触媒と被験液とを接触させる接触部を有し、被験液に対する両電極間の電気化学応答を測定する電気化学測定装置において、前記触媒を介し、前記２つの不溶性導電体間の抵抗成分を算出する抵抗成分算出手段と、前記抵抗成分算出手段により算出した抵抗成分と、予め設定してある触媒抵抗成分評価範囲とを比較し、触媒の劣化度合いを判定する触媒劣化判定手段と、前記触媒劣化判定手段の判定結果に基づき、触媒の劣化度合いを報知する報知手段とを有する電気化学測定装置を提供する。
【手続補正７】
【補正対象書類名】明細書
【補正対象項目名】００１３
【補正方法】変更
【補正の内容】
【００１３】
本発明の電気化学測定装置は、前記作用電極と参照電極との間に発生する電位差を測定するものである。また、作用電極と参照電極に更に対電極を備え、参照電極を基準電位とする電圧を対電極から作用電極に印加し、対電極と作用電極間に発生する電流値を測定するものである。
【手続補正８】
【補正対象書類名】明細書
【補正対象項目名】００１４
【補正方法】変更
【補正の内容】
【００１４】
【発明の実施の形態】
本発明の電気化学測定装置は、少なくとも作用電極と参照電極とを有し、被験液に対する電気化学応答を測定する電気化学測定装置において、各電極に各々接触可能に設けられた導電体と、この導電体を介して、各電極の電気容量成分と抵抗成分とを各々測定する電極測定手段と、前記電極測定手段により測定した各電極の電気容量成分と抵抗成分とを補正パラメータとし、被験液測定時の電気化学応答の安定値を予測する手段とを有することにより、被験液や他の電極を媒介とすることなく、各電極のみの電気容量成分と抵抗成分とを算出できるため、高精度に電位差の安定値を予測可能である。
【手続補正９】
【補正対象書類名】明細書
【補正対象項目名】００１６
【補正方法】変更
【補正の内容】
【００１６】
また本発明の電気化学測定装置は、少なくとも作用電極と参照電極とを有し、被験液に対する電気化学応答を測定する電気化学測定装置において、各電極に各々接触可能に設けられた導電体と、この導電体を介して、各電極の電気容量成分と抵抗成分とを各々測定する電極測定手段と、前記電極測定手段により測定した各電極の電気容量成分と抵抗成分とから各電極の劣化度合いを判定する劣化判定手段と、前記劣化判定手段の判定結果に基づき、前記導電体を介して各電極にクリーニング電流を印加することにより、電極表面を洗浄する洗浄手段とを有することにより、電極表面の研磨や専用の洗浄液を用いることなく、簡便に電極の洗浄を行なうことが可能である。
【手続補正１０】
【補正対象書類名】明細書
【補正対象項目名】００１７
【補正方法】変更
【補正の内容】
【００１７】
前記電極測定手段は、前記導電体を介して各電極に交流電流を印加する交流電流印加手段と、前記交流電流の出力を切り換えることにより、前記クリーニング電流を発生させる交流電流出力切換手段とを更に有することにより、クリーニング電流を発生させる電源を別途設ける必要がなく、コスト低減が可能である。
【手続補正１１】
【補正対象書類名】明細書
【補正対象項目名】００１８
【補正方法】変更
【補正の内容】
【００１８】
また本発明の電気化学測定装置は、少なくとも作用電極と参照電極とを有し、被験液に対する電気化学応答を測定する電気化学測定装置において、各電極に各々接触可能に設けられた導電体と、各電極を被験液に浸漬した使用回数と使用時間との内、少なくとも一方の使用状態をカウントするカウント手段と、前記使用状態と、予め設定してある、電極を洗浄なしで連続使用した場合に測定精度を保証可能な使用限界値とを比較することにより電極の劣化度合いを判定する劣化判定手段と、前記劣化判定手段の判定結果に基づき、前記導電体を介して各電極にクリーニング電流を印加することにより、電極表面を洗浄する洗浄手段とを有する電気化学測定装置を提供し、また、前記洗浄手段は洗浄回数をカウントするカウント手段と、前記洗浄回数と、予め設定してある、洗浄効果がなくなりセンサ交換が必要となる使用回数である限界洗浄回数とを比較することにより、前記カウントされた使用回数が限界洗浄回数を超えていれば、センサの交換を指示するものであることにより、自動で電極の使用限界を検出できることから、洗浄時期や交換時期を簡便に知ることができる。
【手続補正１２】
【補正対象書類名】明細書
【補正対象項目名】００１９
【補正方法】変更
【補正の内容】
【００１９】
また本発明の電気化学測定装置は、作用電極と参照電極とを有し、前記作用電極と参照電極との内少なくとも一方が、１つの電極と２つの不溶性導電体との３つの導電体から成り、前記３つの導電体を、被験液に反応させるための基準液や機能膜等の触媒で覆い、前記触媒と被験液とを接触させる接触部を有し、被験液に対する両電極間の電気化学応答を測定する電気化学測定装置において、前記触媒を介し、前記２つの不溶性導電体間の抵抗成分を算出する抵抗成分算出手段と、前記抵抗成分算出手段により算出した抵抗成分と、予め設定してある触媒抵抗成分評価範囲とを比較し、触媒の劣化度合いを判定する触媒劣化判定手段と、前記触媒劣化判定手段の判定結果に基づき、触媒の劣化度合いを報知する報知手段とを有することにより、基準触媒の劣化や不足によって生じる誤差を低減することができる。
【手続補正１３】
【補正対象書類名】明細書
【補正対象項目名】００２０
【補正方法】変更
【補正の内容】
【００２０】
本発明の電気化学測定装置は、前記作用電極と参照電極との間に発生する電位差を測定するものである。また、作用電極と参照電極に更に対電極を備え、参照電極を基準電位とする電圧を対電極から作用電極に印加し、対電極と作用電極間に発生する電流値を測定することにより、ポーラログラフ式やクーロメトリ式等の電気化学測定装置においても、同様の劣化判定やクリーニングを行なうことができる。
【手続補正１４】
【補正対象書類名】明細書
【補正対象項目名】００２４
【補正方法】変更
【補正の内容】
【００２４】
図２は本発明の電気化学測定装置のブロック図である。
【手続補正１５】
【補正対象書類名】明細書
【補正対象項目名】００３２
【補正方法】変更
【補正の内容】
【００３２】
続くステップＳ４においては、マイコン１２によりモード切換部７を制御し、参照電極５のみをインピーダンス測定回路１０に接続し、参照電極５をインピーダンス測定モードに切り換えることにより、前記と同様にして参照電極５のインピーダンス値と位相角とを測定する。
【手続補正１６】
【補正対象書類名】明細書
【補正対象項目名】００３９
【補正方法】変更
【補正の内容】
【００３９】
ステップＳ２１において、前記電位差Ｖと、ステップＳ１５においてメモリ部１５に記録した合成抵抗成分Ｒと合成抵抗成分Ｃとをパラメータとして、次式で表される被験液測定時の安定値Ｖｃを予測する予測式に代入する。予測式は、Ｖｃ＝Ｖ／（１−ｅ（−Δｔ／Ｃ・Ｒ））で表される。
【手続補正１７】
【補正対象書類名】明細書
【補正対象項目名】００４１
【補正方法】変更
【補正の内容】
【００４１】
本発明の第２実施例は、第１実施例の構成をより簡便な構成にしたものである。図４に第２実施例のブロック図を示す。
【手続補正１８】
【補正対象書類名】明細書
【補正対象項目名】００５０
【補正方法】変更
【補正の内容】
【００５０】
続くステップＳ４における、参照電極５のインピーダンス値及び位相角測定も、前記同様、対電極１７と共通キャップ導電体１８とを介して参照電極５のインピーダンス値と位相角とを測定する。
【手続補正１９】
【補正対象書類名】明細書
【補正対象項目名】００５６
【補正方法】変更
【補正の内容】
【００５６】
第３実施例のブロック図は、第１実施例の図２で示したブロック図と同じであり、マイコン１２における処理のみ第１実施例と異なるため、装置の動作を含めた処理を次のフローチャートにより説明する。
【手続補正２０】
【補正対象書類名】明細書
【補正対象項目名】００５９
【補正方法】変更
【補正の内容】
【００５９】
続くステップＳ３３においては、マイコン１２によりモード切換部７を制御し、参照電極５のみをインピーダンス測定回路１０に接続し、参照電極５をインピーダンス測定モードに切り換えることにより、前記と同様にして参照電極５のインピーダンス値と位相角とを測定する。
【手続補正２１】
【補正対象書類名】明細書
【補正対象項目名】００６５
【補正方法】変更
【補正の内容】
【００６５】
ステップＳ５２において、前記電位差Ｖと、ステップＳ３５においてメモリ部１５に記録した合成抵抗成分Ｒと合成抵抗成分Ｃとをパラメータとして、次式で表される被験液測定時の安定値Ｖｃを予測する予測式に代入する。予測式は、Ｖｃ＝Ｖ／（１−ｅ（−Δｔ／Ｃ・Ｒ））で表される。
【手続補正２２】
【補正対象書類名】明細書
【補正対象項目名】００７７
【補正方法】変更
【補正の内容】
【００７７】
図７は本実施例のブロック図を示す。まず本体３は、ガラス隔膜２３に接触している作用電極基準触媒２４に覆われた作用側第１白金線２１と作用側第２白金線２２、及び作用電極４は、応答測定モードとインピーダンス測定モードとを切り換えるモード切換部７に接続されている。同様に、液絡部２７に接触している参照電極基準触媒２８に覆われた参照側第１白金線２５と参照側第２白金線２６、及び参照電極５もモード切換部７に接続されている。このモード切換部７は応答測定モードに切り換える増幅器９とインピーダンス測定モードに切り換えるインピーダンス測定回路１０とに接続しており、更にマイコン１２に接続され制御される。
【手続補正２３】
【補正対象書類名】明細書
【補正対象項目名】００９０
【補正方法】変更
【補正の内容】
【００９０】
ステップＳ７９において、前記電位差Ｖと、ステップＳ７２においてメモリ部１５に記録した合成抵抗成分Ｒと合成抵抗成分Ｃとをパラメータとして、次式で表される被験液測定時の安定値Ｖｃを予測する予測式に代入する。予測式は、Ｖｃ＝Ｖ／（１−ｅ（−Δｔ／Ｃ・Ｒ））で表される。
【手続補正２４】
【補正対象書類名】明細書
【補正対象項目名】００９７
【補正方法】変更
【補正の内容】
【００９７】
本発明の第５実施例は、作用電極４に流れる電流値を測定するタイプの電気化学測定装置の一例である。図１０に本実施例のブロック図を示す。
【手続補正２５】
【補正対象書類名】明細書
【補正対象項目名】００９８
【補正方法】変更
【補正の内容】
【００９８】
この図１０のブロック図は、第２実施例において図４で示したブロック図において、増幅器９に変えて電流検出器３１とポテンショスタット３２、及び設定電位可変装置３３とを加えて構成した部分のみ異なる。以下、この異なる構成部を説明する。
【手続補正２６】
【補正対象書類名】明細書
【補正対象項目名】０１０３
【補正方法】変更
【補正の内容】
【０１０３】
ステップＳ１２１において、前記電流値Ｉと、ステップＳ１１５においてメモリ部１５に記録した合成抵抗成分Ｒと合成抵抗成分Ｃとをパラメータとして、次式で表される被験液測定時の安定値Ｉｃを予測する予測式に代入する。予測式は、Ｉｃ＝Ｉ／（１−ｅ（−Δｔ／Ｃ・Ｒ））で表される。
【手続補正２７】
【補正対象書類名】明細書
【補正対象項目名】０１０５
【補正方法】変更
【補正の内容】
【０１０５】
【発明の効果】
本発明の電気化学測定装置は、少なくとも作用電極と参照電極とを有し、被験液に対する電気化学応答を測定する電気化学測定装置において、各電極に各々接触可能に設けられた導電体と、この導電体を介して、各電極の電気容量成分と抵抗成分とを各々測定する電極測定手段と、前記電極測定手段により測定した各電極の電気容量成分と抵抗成分とを補正パラメータとし、被験液測定時の電気化学応答の安定値を予測する手段とを有することにより、被験液や他の電極を媒介とすることなく、各電極のみの電気容量成分と抵抗成分とを算出できるため、高精度に電位差の安定値を予測可能である。
【手続補正２８】
【補正対象書類名】明細書
【補正対象項目名】０１０７
【補正方法】変更
【補正の内容】
【０１０７】
また本発明の電気化学測定装置は、少なくとも作用電極と参照電極とを有し、被験液に対する電気化学応答を測定する電気化学測定装置において、各電極に各々接触可能に設けられた導電体と、この導電体を介して、各電極の電気容量成分と抵抗成分とを各々測定する電極測定手段と、前記電極測定手段により測定した各電極の電気容量成分と抵抗成分とから各電極の劣化度合いを判定する劣化判定手段と、前記劣化判定手段の判定結果に基づき、前記導電体を介して各電極にクリーニング電流を印加することにより、電極表面を洗浄する洗浄手段とを有することにより、電極表面の研磨や専用の洗浄液を用いることなく、簡便に電極の洗浄を行なうことが可能である。
【手続補正２９】
【補正対象書類名】明細書
【補正対象項目名】０１０８
【補正方法】変更
【補正の内容】
【０１０８】
前記電極測定手段は、前記導電体を介して各電極に交流電流を印加する交流電流印加手段と、前記交流電流の出力を切り換えることにより、前記クリーニング電流を発生させる交流電流出力切換手段とを更に有することにより、クリーニング電流を発生させる電源を別途設ける必要がなく、コスト低減が可能である。
【手続補正３０】
【補正対象書類名】明細書
【補正対象項目名】０１０９
【補正方法】変更
【補正の内容】
【０１０９】
また本発明の電気化学測定装置は、少なくとも作用電極と参照電極とを有し、被験液に対する電気化学応答を測定する電気化学測定装置において、各電極に各々接触可能に設けられた導電体と、各電極を被験液に浸漬した使用回数と使用時間との内、少なくとも一方の使用状態をカウントするカウント手段と、前記使用状態と、予め設定してある、電極を洗浄なしで連続使用した場合に測定精度を保証可能な使用限界値とを比較することにより電極の劣化度合いを判定する劣化判定手段と、前記劣化判定手段の判定結果に基づき、前記導電体を介して各電極にクリーニング電流を印加することにより、電極表面を洗浄する洗浄手段とを有する電気化学測定装置を提供し、また、前記洗浄手段は洗浄回数をカウントするカウント手段と、前記洗浄回数と、予め設定してある、洗浄効果がなくなりセンサ交換が必要となる使用回数である限界洗浄回数とを比較することにより、前記カウントされた使用回数が限界洗浄回数を超えていれば、センサの交換を指示するものであることにより、自動で電極の使用限界を検出できることから、洗浄時期や交換時期を簡便に知ることができる。
【手続補正３１】
【補正対象書類名】明細書
【補正対象項目名】０１１０
【補正方法】変更
【補正の内容】
【０１１０】
また本発明の電気化学測定装置は、作用電極と参照電極とを有し、前記作用電極と参照電極との内少なくとも一方が、１つの電極と２つの不溶性導電体との３つの導電体から成り、前記３つの導電体を、被験液に反応させるための基準液や機能膜等の触媒で覆い、前記触媒と被験液とを接触させる接触部を有し、被験液に対する両電極間の電気化学応答を測定する電気化学測定装置において、前記触媒を介し、前記２つの不溶性導電体間の抵抗成分を算出する抵抗成分算出手段と、前記抵抗成分算出手段により算出した抵抗成分と、予め設定してある触媒抵抗成分評価範囲とを比較し、触媒の劣化度合いを判定する触媒劣化判定手段と、前記触媒劣化判定手段の判定結果に基づき、触媒の劣化度合いを報知する報知手段とを有することにより、基準触媒の劣化や不足によって生じる誤差を低減することができる。
【手続補正３２】
【補正対象書類名】明細書
【補正対象項目名】０１１１
【補正方法】変更
【補正の内容】
【０１１１】
本発明の電気化学測定装置は、前記作用電極と参照電極との間に発生する電位差を測定するものである。また、作用電極と参照電極に更に対電極を備え、参照電極を基準電位とする電圧を対電極から作用電極に印加し、対電極と作用電極間に発生する電流値を測定することにより、ポーラログラフ式やクーロメトリ式等の電気化学測定装置においても、同様の劣化判定やクリーニングを行なうことができる。
【手続補正３３】
【補正対象書類名】明細書
【補正対象項目名】図面の簡単な説明
【補正方法】変更
【補正の内容】
【図面の簡単な説明】
【図１】本発明の電気化学測定装置の全体構成図である。
【図２】第１実施例のブロック図である。
【図３】第１実施例のフローチャートである。
【図４】第２実施例のブロック図である。
【図５】第３実施例のフローチャートである。
【図６】本発明の電気化学測定装置の別の全体構成図である。
【図７】第４実施例のブロック図である。
【図８】第４実施例のメインフローチャートである。
【図９】第４実施例のサブフローチャートである。
【図１０】第５実施例のブロック図である。
【図１１】第５実施例のフローチャートである。
【符号の説明】
１    電極保護キャップ
２    センサ部
３    本体
４    作用電極
４’  作用側キャップ導電体
５    参照電極
５’  参照側キャップ導電体
６    キャップ接続端子
６’  本体接続端子
７    モード切換部
８    クリーニング電流印加電源
９    増幅器
１０  インピーダンス測定回路
１１  Ａ／Ｄコンバータ
１２  マイコン
１３  電源
１４  表示部
１５  メモリ部
１６  交流電流出力切換部
１７  対電極
１８  共通キャップ導電体
１９  電源スイッチ
２１  作用側第１白金線
２２  作用側第２白金線
２３  ガラス隔膜
２３’作用触媒導電体
２４  作用電極基準触媒
２５  参照側第１白金線
２６  参照側第２白金線
２７  液絡部
２７’参照触媒導電体
２８  参照電極基準触媒
２９  作用側ガラス管
３０  参照側ガラス管
３１  電流検出器
３２  ポテンショスタット
３３  設定電位可変装置